(57)【要約】【課題】プロテクタ本体部にヒンジを設けた場合において、そのヒンジ部に対応する箇所で側壁部に生じた隙間を塞ぐことを目的とする。【解決手段】プロテクタ２０は、プロテクタ本体部２２と、蓋部（例えば、外側蓋部４０）とを備える。プロテクタ本体部２２は、本体側ヒンジ部２７を有する底板部２４と、底板部２４の両側部で突出する一対の第１側壁部３０及び一対の第２側壁部３２とを含む。蓋部は、例えば、蓋本体部４１と、一対の補助側壁部４８とを含む。蓋本体部４１には、蓋側ヒンジ部４６と一定の曲げ形状部分４５が設けられている。曲げ形状部分４５は本体側ヒンジ部２７に対応する位置に配設され、蓋側ヒンジ部４６は本体側ヒンジ部２７からずらした位置に配設される。一対の補助側壁部４８は、曲げ形状部分４５の両側部に設けられ、第１側壁部３０と第２側壁部３２との間に生じる隙間を塞ぐ。【選択図】図１
2016185023.tif 000002
【特許請求の範囲】
【請求項１】
第１底板部と第２底板部とが本体側ヒンジ部を介して連結された底板部と、前記第１底板部の両側部で前記第１底板部の少なくとも一方の主面側に突出する一対の第１側壁部と、前記一対の第１側壁部とは分離し、前記第２底板部の両側部で前記第１側壁部と同じ突出方向で突出する一対の第２側壁部とを含むプロテクタ本体部と、
第１蓋本体部と第２蓋本体部とが蓋側ヒンジ部を介して連結され、前記一対の第１側壁部間の開口及び前記一対の第２側壁部間の開口を塞ぐ蓋本体部を含む蓋部と、
を備え、
前記プロテクタ本体部と前記蓋部とが合体した状態で、前記本体側ヒンジ部と前記蓋側ヒンジ部とが前記底板部の延在方向にずらした位置に設けられ、
前記底板部及び前記蓋本体部のうちの一方であって、前記底板部及び前記蓋本体部のうちの他方に設けられた前記本体側ヒンジ部又は前記蓋側ヒンジ部に対応する位置に一定の曲げ形状部分が形成され、
前記蓋本体部の両側部に、前記一対の第１側壁部と前記一対の第２側壁部との間に生じる隙間を塞ぐ一対の補助側壁部が形成されている、プロテクタ。
【請求項２】
請求項１記載のプロテクタであって、
前記第２蓋本体部に前記曲げ形状部分が設けられ、前記曲げ形状部分を前記本体側ヒンジ部に対応する位置に配設すると共に、前記蓋側ヒンジ部を前記本体側ヒンジ部からずらした位置に配設した状態で、前記底板部から離れた位置で、前記一対の第１側壁部間の開口及び前記一対の第２側壁部間の開口を塞ぐように前記蓋本体部が設けられ、
前記一対の補助側壁部は、前記曲げ形状部分の両側部に設けられ、前記底板部が前記本体側ヒンジ部を介して曲げられた状態で、前記一対の第１側壁部と前記一対の第２側壁部との間に生じる隙間を塞ぐ、プロテクタ。
【請求項３】
請求項２に記載のプロテクタであって、
前記一対の第１側壁部及び前記一対の第２側壁部は、前記底板部が前記ヒンジ部で曲げられた状態で、外側に突出する部分を含み、
前記補助側壁部は、前記曲げ形状部分の両側部の入隅側に突出するように形成されている、プロテクタ。
【請求項４】
請求項２に記載のプロテクタであって、
前記一対の第１側壁部及び前記一対の第２側壁部は、前記底板部が前記ヒンジ部で曲げられた状態で、内側に突出する部分を含み、
前記補助側壁部は、前記曲げ形状部分の両側部の出隅側に突出するように形成されている、プロテクタ。
【請求項５】
請求項２に記載のプロテクタであって、
前記一対の第１側壁部及び前記一対の第２側壁部は、前記底板部が前記ヒンジ部で曲げられた状態で、内側に突出する部分と、外側に突出する部分とを含み、
前記蓋部として、前記プロテクタ本体部の外側に配設される外側蓋部と、前記プロテクタ本体部の内側に配設される内側蓋部とを備え、
前記外側蓋部の前記補助側壁部は、前記曲げ形状部分の両側部の入隅側に突出するように形成され、
前記外側蓋部の前記補助側壁部は、前記曲げ形状部分の両側部の出隅側に突出するように形成されている、プロテクタ。
【請求項６】
請求項１〜請求項５のいずれか１項に記載のプロテクタと、
前記底板部と、前記一対の第１側壁部及び前記一対の第２側壁部と、前記蓋部との間で囲まれる空間内に収容された裸導体と、
を備えるプロテクタ付配線モジュール。
【発明の詳細な説明】
【技術分野】
【０００１】
この発明は、配線材を覆うプロテクタに関する。
【背景技術】
【０００２】
特許文献１は、ハーネスのＵターン部を被覆するプロテクタを開示している。この特許文献１では、プロテクタは、プロテクタ本体および蓋カバーからなる。プロテクタ本体は、ハーネスを取り込んで案内するベースと、このベースの先端から屈曲してＵターン部を案内する反転部などからなる。蓋カバーはプロテクタ本体を全体にわたって閉塞する主蓋部と、この主蓋部の先端で薄肉ヒンジ部を介して反転部を閉塞する方向へ回動可能な可動蓋などからなる。
【先行技術文献】
【特許文献】
【０００３】
【特許文献１】特開２００１−５７７２０号公報
【発明の概要】
【発明が解決しようとする課題】
【０００４】
ところで、特許文献１に開示のように、曲げ部を有するプロテクタを製造する際において、型抜きの関係上、プロテクタ本体の曲げ部にヒンジ部を設けたい場合がある。プロテクタ本体ヒンジ部を設ければ、当該プロテクタ本体を直線に近い形態で金型成形することができるため、型抜きを容易にできるからである。また、金型成型後にヒンジ部で曲げることで、曲げ部を形成することができるからである。
【０００５】
しかしながら、プロテクタ本体にヒンジ部を設けると、そのヒンジ部に対応する箇所で側壁に隙間が生じてしまう。
【０００６】
そこで、本発明は、プロテクタ本体部にヒンジを設けた場合において、そのヒンジ部に対応する箇所で側壁部に生じた隙間を塞ぐことを目的とする。
【課題を解決するための手段】
【０００７】
上記課題を解決するため、第１の態様に係るプロテクタは、第１底板部と第２底板部とが本体側ヒンジ部を介して連結された底板部と、前記第１底板部の両側部で前記第１底板部の少なくとも一方の主面側に突出する一対の第１側壁部と、前記一対の第１側壁部とは分離し、前記第２底板部の両側部で前記第１側壁部と同じ突出方向で突出する一対の第２側壁部とを含むプロテクタ本体部と、第１蓋本体部と第２蓋本体部とが蓋側ヒンジ部を介して連結され、前記一対の第１側壁部間の開口及び前記一対の第２側壁部間の開口を塞ぐ蓋本体部を含む蓋部とを備え、前記プロテクタ本体部と前記蓋部とが合体した状態で、前記本体側ヒンジ部と前記蓋側ヒンジ部とが前記底板部の延在方向にずらした位置に設けられ、前記底板部及び前記蓋本体部のうちの一方であって、前記底板部及び前記蓋本体部のうちの他方に設けられた前記本体側ヒンジ部又は前記蓋側ヒンジ部に対応する位置に一定形状の曲げ形状部分が形成され、前記蓋本体部の両側部に、前記一対の第１側壁部と前記一対の第２側壁部との間に生じる隙間を塞ぐ一対の補助側壁部が形成されているものである。
【０００８】
第２の態様は、第１の態様に係るプロテクタであって、前記第２蓋本体部に前記曲げ形状部分が設けられ、前記曲げ形状部分を前記本体側ヒンジ部に対応する位置に配設すると共に、前記蓋側ヒンジ部を前記本体側ヒンジ部からずらした位置に配設した状態で、前記底板部から離れた位置で、前記一対の第１側壁部間の開口及び前記一対の第２側壁部間の開口を塞ぐように前記蓋本体部が設けられ、前記一対の補助側壁部は、前記曲げ形状部分の両側部に設けられ、前記底板部が前記本体側ヒンジ部を介して曲げられた状態で、前記一対の第１側壁部と前記一対の第２側壁部との間に生じる隙間を塞ぐものである。
【０００９】
第３の態様は、第２の態様に係るプロテクタであって、前記一対の第１側壁部及び前記一対の第２側壁部は、前記底板部が前記ヒンジ部で曲げられた状態で、外側に突出する部分を含み、前記補助側壁部は、前記曲げ形状部分の両側部の入隅側に突出するように形成されているものである。
【００１０】
第４の態様は、第２の態様に係るプロテクタであって、前記一対の第１側壁部及び前記一対の第２側壁部は、前記底板部が前記ヒンジ部で曲げられた状態で、内側に突出する部分を含み、前記補助側壁部は、前記曲げ形状部分の両側部の出隅側に突出するように形成されているものである。
【００１１】
第５の態様は、第２の態様に係るプロテクタであって、前記一対の第１側壁部及び前記一対の第２側壁部は、前記底板部が前記ヒンジ部で曲げられた状態で、内側に突出する部分と、外側に突出する部分とを含み、前記蓋部として、前記プロテクタ本体部の外側に配設される外側蓋部と、前記プロテクタ本体部の内側に配設される内側蓋部とを備え、前記外側蓋部の前記補助側壁部は、前記曲げ形状部分の両側部の入隅側に突出するように形成され、前記外側蓋部の前記補助側壁部は、前記曲げ形状部分の両側部の出隅側に突出するように形成されている。
【００１２】
第６の態様に係るプロテクタ付配線モジュールは、第１〜第５のいずれか１つの態様に係るプロテクタと、前記底板部と、前記一対の第１側壁部及び前記一対の第２側壁部と、前記蓋部との間で囲まれる空間内に収容された裸導体とを備える。
【発明の効果】
【００１３】
第１の態様によると、プロテクタ本体部の底板部は、第１底板部と前記第２底板部とが本体側ヒンジ部を介して連結された構成とされている。このため、第１底板部の両側部の一対の第１側壁部と、第２底板部の一対の第２側壁部とは分離しており、両者の間に隙間が生じてしまう。一方、蓋部の蓋本体部は、第１蓋本体部と第２蓋本体部とが蓋側ヒンジ部を介して連結された構成とされているものの、プロテクタ本体部と蓋部とが合体した状態で、本体側ヒンジ部と蓋側ヒンジ部とが底板部の延在方向にずらした位置に設けられている。そして、底板部及び蓋本体部のうちの一方であって、底板部及び蓋本体部のうちの他方に設けられた本体側ヒンジ部又は蓋側ヒンジ部に対応する位置に一定の曲げ形状部分が形成され、蓋本体部の両側部に、一対の第１側壁部と一対の第２側壁部との間に生じる隙間を塞ぐ一対の補助側壁部が形成された構成とされている。このため、一対の補助側壁部によって一対の第１側壁部と前記一対の第２側壁部との間に生じる隙間を塞ぐことができる。これにより、プロテクタ本体部に本体側ヒンジ部を設けた場合において、その本体側ヒンジ部に対応する箇所で側壁部に生じた隙間を塞ぐことができる。
【００１４】
第２の態様によると、曲げ形状部分に両側部に一対の補助側壁部を設け、この補助側壁部によって一対の第１側壁部と前記一対の第２側壁部との間に生じる隙間を塞ぐことができる。これにより、プロテクタ本体部に本体側ヒンジ部を設けた場合において、その本体側ヒンジ部に対応する箇所で側壁部に生じた隙間を塞ぐことができる。
【００１５】
第３の態様のように、一対の第１側壁部及び一対の第２側壁部が、底板部がヒンジ部で曲げられた状態で、外側に突出する部分を含む場合、一対の第１側壁部及び一対の第２側壁部の間に比較的大きな隙間が生じてしまう。このような比較的大きな隙間を、曲げ形状部分の両側部の入隅側に突出するように形成された補助側壁部によって塞ぐことができる。
【００１６】
第４の態様のように、一対の第１側壁部及び一対の第２側壁部が、底板部がヒンジ部で曲げられた状態で、内側に突出する部分を含む場合でも、一対の第１側壁部及び一対の第２側壁部の間に隙間が生じてしまう。このような隙間を、曲げ形状部分の両側部の出隅側に突出するように形成された補助側壁部によって塞ぐことができる。
【００１７】
第５の態様によると、プロテクタ本体部の内側及び外側に、配線材を収容することができる。この場合に、プロテクタ本体部の内側及び外側のそれぞれで、一対の第１側壁部及び一対の第２側壁部の間に生じる隙間を、補助側壁部によって塞ぐことができる。
【００１８】
第６の態様によると、裸導体をなるべく外部に露出させないで、プロテクタ内に収容することができる。
【図面の簡単な説明】
【００１９】
【図１】実施形態に係るプロテクタ付配線モジュールを示す斜視図である。
【図２】同上のプロテクタ付配線モジュールの分解斜視図である。
【図３】プロテクタ付配線モジュールの部分斜視図である。
【図４】プロテクタ本体部を示す斜視図である。
【図５】プロテクタ本体部を示す斜視図である。
【図６】外側蓋部を示す斜視図である。
【図７】外側蓋部を示す斜視図である。
【図８】内側蓋部を示す斜視図である。
【図９】内側蓋部を示す斜視図である。
【図１０】変形例に係るプロテクタを示す図である。
【発明を実施するための形態】
【００２０】
以下、実施形態に係るプロテクタ付配線モジュール及びプロテクタについて説明する。図１はプロテクタ付配線モジュール１０を示す斜視図であり、図２は同プロテクタ付配線モジュール１０の分解斜視図であり、図３はプロテクタ付配線モジュール１０の部分斜視図である。
【００２１】
プロテクタ付配線モジュール１０は、裸導体１２、１４と、プロテクタ２０とを備える。
【００２２】
裸導体１２、１４は、車両における各種電気部品（例えば、バッテリ、インバータ、モータ）等を電気的に接続する配線部材である。裸導体１２、１４は、細帯板状に形成されており、その両端部に他の電気機器への接続用の接続端部１２ｔ、１４ｔが形成されている。裸導体１２、１４の延在方向中間部は、車両における配線経路に応じた形状に曲げられている。ここでは、裸導体１２、１４の延在方向中間部の２箇所が、その厚み方向に曲げられており、その厚み方向の２箇所の曲げ箇所の中間部が、その幅方向に曲げられている。上記裸導体１２、１４の厚み方向の１つの曲げ箇所１２Ｐ、１４Ｐは、直角に曲げられており、本実施形態では、プロテクタ２０のうち当該曲げ箇所１２Ｐ、１４Ｐを収容する部分を中心に説明する。
【００２３】
また、ここでは、裸導体１２、１４は、銅、銅合金、アルミニウム、アルミニウム合金等の金属板材が、車両における配線経路に応じた形状にプレス成形等されることによって形成されている。裸導体１２、１４自体は、被覆等されず、導電性部分が外部に露出したままとなっている導体である。かかる裸導体１２、１４は、バスバーとも呼ばれる。この裸導体１２、１４がプロテクタ２０内に収容されることによって、外部から絶縁される。
【００２４】
もっとも、プロテクタ２０内に収容される配線部材は、裸導体１２、１４である必要はなく、外周に被覆が施された絶縁電線等であってもよい。
【００２５】
裸導体１２、１４のうち裸導体１２は、曲げられたプロテクタ２０の外側に収容される部材であり、裸導体１４は当該プロテクタ２０の内側に収容される部材である。裸導体１２、１４は、プロテクタ２０の外側又は内側を通ることによる経路の差、端部の引出位置の差等による相違点を除いて、おおよそ同箇所で曲がる同形状に形成されている。
【００２６】
プロテクタ２０は、プロテクタ本体部２２と、一対の外側蓋部４０と、一対の内側蓋部５０とを備える。プロテクタ２０は、全体として、上記裸導体１２、１４の各曲げ部分で曲る長尺形状に形成されている。
【００２７】
図４及び図５はプロテクタ本体部２２を示す斜視図である。図４はプロテクタ本体部２２を本体側ヒンジ部２７で曲げる前の状態を示しており、図５はプロテクタ本体部２２を本体側ヒンジ部２７で曲げた状態を示している。
【００２８】
図１〜図５に示すように、プロテクタ本体部２２は、樹脂等によって金型一体成形された部材であり、底板部２４と、第１側壁部３０と、第２側壁部３２とを備える。
【００２９】
底板部２４は、第１底板部２５と、第２底板部２６と、本体側ヒンジ部２７とを備える。
【００３０】
第１底板部２５は、裸導体１２、１４のうち曲げ箇所１２Ｐ、１４Ｐよりも一端側部分に応じた形状で延在する細帯板状に形成されている。ここでは、第１底板部２５は、細帯板状をなすと共に、その延在方向中間部でその幅方向に曲った形状に形成されている。
【００３１】
第２底板部２６は、裸導体１２、１４のうち曲げ箇所１２Ｐ、１４Ｐよりも一端側部分に応じた形状で延在する細帯板状に形成されている。ここでは、第２底板部２６は、細帯板状をなすと共に、その延在方向中間部でその幅方向に曲ると共に、その他の１箇所でその厚み方向に曲った形状に形成されている。
【００３２】
第１底板部２５及び第２底板部２６の幅寸法は、ほとんどの部分で、裸導体１２、１４の幅寸法と同じか当該幅寸法よりも大きく（僅かに大きく）設定されている。もっとも、第２底板部２６の外側端部では、裸導体１２、１４をその幅方向において異なる位置で外部に引出すため、裸導体１２、１４の幅寸法の和と同程度に設定されている。
【００３３】
なお、第１底板部２５及び第２底板部２６には、細い突起状のリブ部２４ａが形成されている。
【００３４】
上記第１底板部２５の１つの端部と第２底板部２６の１つの端部とは、本体側ヒンジ部２７を介して連結されている。本体側ヒンジ部２７は、第１底板部２５及び第２底板部２６よりも薄く形成され曲げ容易に形成された線状部分である。つまり、本体側ヒンジ部２７は、第１底板部２５及び第２底板部２６と連続的に繋がって形成されている。
【００３５】
この本体側ヒンジ部２７は、裸導体１２、１４の曲げ箇所１２Ｐ、１４Ｐに対応する箇所に設けられている。すなわち、プロテクタ２０内に裸導体１２、１４が収容された状態で、本体側ヒンジ部２７の出隅側に曲げ箇所１２Ｐが配設され、本体側ヒンジ部２７の入隅側に曲げ箇所１４Ｐが配設される。
【００３６】
一対の第１側壁部３０は、第１底板部２５の両側部で、当該第１底板部２５の少なくとも一方の主面側に突出するように形成されている。ここでは、後述するように、裸導体１２、１４を収容するため、第１底板部２５と第２底板部２６とが本体側ヒンジ部２７で曲げられた状態で、一対の第１側壁部３０は、第１底板部２５の一方の主面である外側に突出する部分３０ｐと、第１底板部２５の他方の主面である内側に突出する部分３０ｑとを含む。このため、第１底板部２５の一方の主面側には、第１底板部２５及び一対の第１側壁部３０の部分３０ｐとで囲まれる裸導体１２の収容空間が形成され、第１底板部２５の他方の主面側には、第１底板部２５及び一対の第１側壁部３０の部分３０ｑとで囲まれる裸導体１４の収容空間が形成される。
【００３７】
また、一対の第２側壁部３２は、第２底板部２６の両側部で、第２底板部２６に対し第１側壁部３０と同じ突出方向で突出するように形成されている。ここでは、裸導体１２、１４を収容するため、第１底板部２５と第２底板部２６とが本体側ヒンジ部２７で曲げられた状態で、一対の第２側壁部３２は、第１底板部２５の一方の主面である外側に突出する部分３２ｐと、第１底板部２５の他方の主面である内側に突出する部分３２ｑとを含む。このため、第２底板部２６の一方の主面側には、第２底板部２６及び一対の第２側壁部３２の部分３２ｐとで囲まれる裸導体１２の収容空間が形成され、第２底板部２６の他方の主面側には、第２底板部２６及び一対の第２側壁部３２の部分３２ｑとで囲まれる裸導体１４の収容空間が形成される。
【００３８】
上記一対の第１側壁部３０と、一対の第２側壁部３２とは、本体側ヒンジ部２７の延長線を挟んで両側で分離している。第１底板部２５と第２底板部２６とが同一平面上に延在している状態で、一対の第１側壁部３０の部分３０ｐと一対の第２側壁部３２の部分３２ｐとの間には、同一幅で延在する隙間が形成され、一対の第１側壁部３０の部分３０ｑと一対の第２側壁部３２の部分３２ｑとの間には、本体側ヒンジ部２７からＶ字状に開く隙間が形成されている。Ｖ字状の隙間は、９０度で開く形状に形成されている。
【００３９】
そして、第１底板部２５と第２底板部２６とを直角に曲げると、一対の第１側壁部３０の部分３０ｐと一対の第２側壁部３２の部分３２ｐとの間には、Ｖ字状に開く隙間が形成される。このＶ字状に開く隙間は、本体側ヒンジ部２７から９０度で開く形状に形成される。これとは逆に、一対の第１側壁部３０の部分３０ｑと一対の第２側壁部３２の部分３２ｑとの間の隙間は閉じられ、部分３０ｑと部分３２ｐとは接するか又はそれらの間に僅かな隙間が形成された状態となる。
【００４０】
なお、第２底板部２６の外側端端部の一方主面では、その一側部及び幅方向中央部に側壁部が形成され、第２底板部２６の外側端端部の一方主面では、その他側部及び幅方向中央部に側壁部が形成されている。これにより、裸導体１２、１４の接続端部１４ｔがその幅方向において異なる位置に収容され、外部に引出される。
【００４１】
また、上記一対の第１側壁部３０の部分３０ｐと一対の第２側壁部３２の部分３２ｐとの各外向き面には、外側蓋部４０を固定するためのロック部３４ｐが形成され、一対の第１側壁部３０の部分３０ｑと一対の第２側壁部３２の部分３２ｑとの各外向き面には、内側蓋部５０を固定するためのロック部３４ｑが形成されている。ロック部３４ｐ、３４ｑは、突起状のロック突部であるか、又は、突起状のロック部を抜止め係止する孔を有するロック受部である。
【００４２】
このように、プロテクタ本体部２２を、本体側ヒンジ部２７で曲げる構成とすることで、プロテクタ本体部２２を容易に一体金型成形することが可能となる。すなわち、第１底板部２５と第２底板部２６とが同一平面上に延在する形態では、第１側壁部３０、第２側壁部３２、ロック部３４ｐ、３４ｑは、おおよそ第１底板部２５及び第２底板部２６に対して直交する方向から見て面状又は線状に観察可能な表面によって規定された形状となる。このため、第１底板部２５及び第２底板部２６に直交する両方向を、金型成形時における金型の離型方向とすると、アンダーカットとなる部分を極力なくすることができる。このため、プロテクタ本体部２２を容易に金型一体成形することができる。
【００４３】
そして、曲げ箇所１２Ｐ、１４Ｐを有する裸導体１２、１４を収容する際には、本体側ヒンジ部２７で第１底板部２５と第２底板部２６とを曲げることで、当該裸導体１２、１４を収容することができる。
【００４４】
図６及び図７は外側蓋部４０を示す斜視図である。図６は外側蓋部４０を蓋側ヒンジ部４６で曲げた状態を示しており、図７は外側蓋部４０を蓋側ヒンジ部４６の部分で直線状に延在させた状態を示している。
【００４５】
図１〜図３、図６及び図７に示すように、外側蓋部４０は、樹脂等により金型一体形成された部材であり、第１蓋本体部４２と、第２蓋本体部４４と、蓋側ヒンジ部４６とを含む蓋本体部４１を備える。
【００４６】
第１蓋本体部４２は、第１底板部２５のうち本体側ヒンジ部２７よりも外側端部寄りの部分に対応する細長板状に形成されている。
【００４７】
第２蓋本体部４４は、第１底板部２５のうち本体側ヒンジ部２７寄りの部分及び第２底板部２６に対応する細長板状に形成されている。なお、第１蓋本体部４２の外側端部は、第２底板部２６の外側端部における一対の側壁部間に対応する形状に形成されている。第２蓋本体部４４のうち本体側ヒンジ部２７に対応する部分（後述するように、プロテクタ本体部２２に取付けられた状態で本体側ヒンジ部２７に配設される部分）は、その厚み方向に曲げられた一定形状の曲げ形状部分４５に形成されている。ここでは、曲げ形状部分４５は、９０度に曲げられた形状に形成されている。
【００４８】
第１蓋本体部４２及び第２蓋本体部４４は、第１底板部２５及び第２底板部２６の幅寸法と同幅寸法に設定されている。
【００４９】
第１蓋本体部４２の１つの端部と第２蓋本体部４４の１つの端部とは、蓋側ヒンジ部４６を介して連結されている。蓋側ヒンジ部４６は、第１蓋本体部４２及び第２蓋本体部４４よりも薄く形成され曲げ容易に形成された線状部分である。つまり、蓋側ヒンジ部４６は、第１蓋本体部４２及び第２蓋本体部４４と連続的に繋がって形成されている。
【００５０】
本体側ヒンジ部２７には、上記曲げ形状部分４５が配設され、そこから第１底板部２５側に離れた位置に蓋側ヒンジ部４６が設けられるため、蓋側ヒンジ部４６は、本体側ヒンジ部２７からずらした位置に配設される。
【００５１】
そして、第１蓋本体部４２及び第２蓋本体部４４が、第１底板部２５及び第２底板部２６から離れた位置で、一対の第１側壁部３０間の開口及び一対の第２側壁部３２間の開口を塞ぐことができるようになっている。
【００５２】
また、上記曲げ形状部分４５の両側部に、一対の補助側壁部４８が設けられている。補助側壁部４８は、角をなして連続する曲げ形状部分４５の側縁部からその入隅側に突出するように形成されている。補助側壁部４８の突出寸法は、好ましくは、第１側壁部３０及び第２側壁部３２の突出寸法と同程度である。また、一対の補助側壁部４８の外面間の寸法は、好ましくは、一対の第１側壁部３０の内面間及び一対の第２側壁部３２の内面間の間隔寸法と同じに設定されている。
【００５３】
また、第１蓋本体部４２の両側部及び第２蓋本体部４４の両側部には、ロック部３４ｐに係止可能なロック部４９が突設されている。
【００５４】
そして、第１底板部２５と第２底板部２６とを本体側ヒンジ部２７で曲げた状態で、ロック部４９をロック部３４ｐに係止固定して、外側蓋部４０をプロテクタ本体部２２に装着する。第１蓋本体部４２と第２蓋本体部４４とは、第１底板部２５及び第２底板部２６に沿って配設され、蓋側ヒンジ部４６の部分で第１底板部２５によって真っ直ぐ延在した状態に配設される。また、一対の補助側壁部４８が、第１底板部２５の一対の第１側壁部３０の部分３０ｐと、第２底板部２６の一対の第２側壁部３２の部分３２ｐとの隙間を塞ぐように、それらの内側に配設される。なお、一対の補助側壁部４８は、一対の第１側壁部３０の部分３０ｐ及び一対の第２側壁部３２の部分３２ｐの外側に配設されてもよい。
【００５５】
このように、外側蓋部４０を、蓋側ヒンジ部４６で曲げる構成とすることで、外側蓋部４０を容易に一体金型成形することが可能となる。すなわち、第１蓋本体部４２と第２蓋本体部４４とが蓋側ヒンジ部４６を介して直角に曲った状態では、第１蓋本体部４２及び第２蓋本体部４４の多くの部分が同一面方向に沿って延在し、曲げ形状部分４５、補助側壁部４８、ロック部４９等は、それらの面に対しておおよそ直交する方向から見て面状又は線状に観察可能な表面によって規定される形状となる。このため、第１蓋本体部４２及び第２蓋本体部４４の大部分に直交する両方向を、金型成形時における金型の離型方向とすると、アンダーカットとなる部分を極力なくすることができる。このため、外側蓋部４０を容易に金型一体成形することができる。
【００５６】
そして、外側蓋部４０をプロテクタ本体部２２に装着する際には、上記曲げ形状部分４５を本体側ヒンジ部２７に配設すると共に、蓋側ヒンジ部４６の部分を直線状に延すことで、曲った形態のプロテクタ本体部２２に装着することができる。
【００５７】
図８及び図９は内側蓋部５０を示す斜視図である。図８は内側蓋部５０を蓋側ヒンジ部５６で曲げた状態を示しており、図９は内側蓋部５０を蓋側ヒンジ部５６の部分で直線状に延在させた状態を示している。
【００５８】
図１〜図３、図８及び図９に示すように、内側蓋部５０は、樹脂等により金型一体形成された部材であり、第１蓋本体部５２と、第２蓋本体部５４と、蓋側ヒンジ部５６とを含む蓋本体部５１を備える。
【００５９】
第１蓋本体部５２は、第１底板部２５のうち本体側ヒンジ部２７よりも外側端部寄りの部分に対応する細長板状に形成されている。なお、第１蓋本体部５２の外側端部には、裸導体１２、１４の接続端部１２ｔ、１４ｔを覆う端部蓋部が形成されている。
【００６０】
第２蓋本体部５４は、第１底板部２５のうち本体側ヒンジ部２７寄りの部分及び第２底板部２６に対応する細長板状に形成されている。なお、第１蓋本体部５２の外側端部は、第２底板部２６の他方の主面の外側端部における一対の側壁部間に対応する形状に形成されている。第２蓋本体部５４のうち本体側ヒンジ部２７に対応する部分（後述するように、プロテクタ本体部２２に取付けられた状態で本体側ヒンジ部２７に配設される部分）は、その厚み方向に曲げられた一定の曲げ形状部分５５に形成されている。ここでは、曲げ形状部分５５は、９０度に曲げられた形状に形成されている。
【００６１】
第１蓋本体部５２及び第２蓋本体部５４は、第１底板部２５及び第２底板部２６の幅寸法と同幅寸法に設定されている。
【００６２】
第１蓋本体部５２の１つの端部と第２蓋本体部５４の１つの端部とは、蓋側ヒンジ部５６を介して連結されている。蓋側ヒンジ部５６は、第１蓋本体部５２及び第２蓋本体部５４よりも薄く形成され曲げ容易に形成された線状部分である。つまり、蓋側ヒンジ部５６は、第１蓋本体部５２及び第２蓋本体部５４と連続的に繋がって形成されている。
【００６３】
本体側ヒンジ部２７には、上記曲げ形状部分５５が配設され、そこから第１底板部２５側に離れた位置に蓋側ヒンジ部５６が設けられるため、蓋側ヒンジ部５６は、本体側ヒンジ部２７からずらした位置に配設される。
【００６４】
そして、第１蓋本体部５２及び第２蓋本体部５４が、第１底板部２５及び第２底板部２６から離れた位置で、一対の第１側壁部３０間の開口及び一対の第２側壁部３２間の開口を塞ぐことができるようになっている。
【００６５】
また、上記曲げ形状部分５５の両側部に、一対の補助側壁部５８が設けられている。補助側壁部５８は、角をなして連続する曲げ形状部分５５の側縁部からその出隅側に突出するように形成されている。補助側壁部５８の突出寸法は、好ましくは、第１側壁部３０及び第２側壁部３２の突出寸法と同程度である。また、一対の補助側壁部５８の外面間の寸法は、好ましくは、一対の第１側壁部３０の内面間及び一対の第２側壁部３２の内面間の間隔寸法と同じに設定されている。なお、内側蓋部５０では、第１蓋本体部５２及び第２蓋本体部５４の延在方向全体の両側部に一対の側壁部が形成されているが、これは必須ではない。
【００６６】
また、第１蓋本体部５２の両側部及び第２蓋本体部５４の両側部には、ロック部３４ｑに係止可能なロック部５９が突設されている。
【００６７】
そして、第１底板部２５と第２底板部２６とを本体側ヒンジ部２７で曲げた状態で、ロック部５９をロック部３４ｑに係止固定して、内側蓋部５０をプロテクタ本体部２２に装着する。第１蓋本体部５２と第２蓋本体部５４とは、第１底板部２５及び第２底板部２６の部分に沿って配設され、蓋側ヒンジ部５６の部分で第１底板部２５によって真っ直ぐ延在した状態に配設される。また、一対の補助側壁部５８が、第１底板部２５の一対の第１側壁部３０の部分３０ｑと、第２底板部２６の一対の第２側壁部３２の部分３２ｑとの隙間を塞ぐように、それらの内側に配設される。なお、一対の補助側壁部５８は、一対の第１側壁部３０の部分３０ｑ及び一対の第２側壁部３２の部分３２ｑの外側に配設されてもよい。
【００６８】
このように、内側蓋部５０を、蓋側ヒンジ部５６で曲げる構成とすることで、内側蓋部５０を容易に一体金型成形することが可能となる。すなわち、第１蓋本体部５２と第２蓋本体部５４とが蓋側ヒンジ部５６を介して直角に曲った状態では、第１蓋本体部５２と第２蓋本体部５４のほとんどの部分が同一面に沿って延在し、曲げ形状部分５５、補助側壁部５８、ロック部５９等は、それらに対しておおよそ直交する方向から見て面状又は線状に観察可能な表面によって規定される形状となる。このため、第１蓋本体部５２及び第２蓋本体部５４の大部分に直交する両方向を、金型成形時における金型の離型方向とすると、アンダーカットとなる部分を極力なくすることができる。このため、内側蓋部５０を容易に金型一体成形することができる。
【００６９】
そして、内側蓋部５０をプロテクタ本体部２２に装着する際には、上記曲げ形状部分５５を本体側ヒンジ部２７に配設すると共に、蓋側ヒンジ部５６の部分を直線状に延すことで、曲った形態のプロテクタ本体部２２に装着することができる。
【００７０】
上記プロテクタ付配線モジュール１０の製造方法について説明する。
【００７１】
まず、プロテクタ本体部２２、外側蓋部４０及び内側蓋部５０を金型成形する。この際、プロテクタ本体部２２については、第１底板部２５と第２底板部２６とが本体側ヒンジ部２７で真っ直ぐ延在する形態とすることで、容易に金型一体成形することができる。外側蓋部４０及び内側蓋部５０については、第１蓋本体部４２、５２と、第２蓋本体部４４、５４とが、蓋側ヒンジ部４６、５６で直角に曲った形態とすることで、それぞれ容易に金型一体成形することができる。
【００７２】
そして、第１底板部２５と第２底板部２６とを、本体側ヒンジ部２７で直角に曲げる。この状態で、第１底板部２５及び第２底板部２６と、一対の第１側壁部３０の部分３０ｐ及び一対の第２側壁部３２の部分３２ｐとで囲まれる空間内に、裸導体１２を配設する。この後、ロック部４９をロック部３４ｐに係止させて、外側蓋部４０をプロテクタ本体部２２に取付ける。この際、本体側ヒンジ部２７で曲げられることによって形成された、一対の第１側壁部３０の部分３０ｐと一対の第２側壁部３２の部分３２ｐの隙間が、一対の補助側壁部４８によって塞がれる。
【００７３】
また、第１底板部２５及び第２底板部２６と、一対の第１側壁部３０の部分３０ｑ及び一対の第２側壁部３２の部分３２ｑで囲まれる空間内に、裸導体１４を配設する。この後、ロック部５９をロック部３４ｑに係止させて、内側蓋部５０をプロテクタ本体部２２に取付ける。この際、本体側ヒンジ部２７で曲げられることによって形成された、一対の第１側壁部３０の部分３０ｑと一対の第２側壁部３２の部分３２ｑの隙間が、一対の補助側壁部５８によって塞がれる。
【００７４】
以上のように構成されたプロテクタ付配線モジュール１０及びプロテクタ２０によると、プロテクタ本体部２２の底板部２４は、第１底板部２５と第２底板部２６とが本体側ヒンジ部２７を介して連結された構成とされている。このため、プロテクタ本体部２２を容易に金型一体成形することができる。
【００７５】
また、上記構成を採用すると、第１底板部２５の両側部の一対の第１側壁部３０と、第２底板部２６の一対の第２側壁部３２とは分離しており、両者の間に隙間が生じてしまう。
【００７６】
一方、外側蓋部４０及び内側蓋部５０については、蓋本体部４１、５１は、第１蓋本体部４２、５２と第２蓋本体部４４、５４とが、蓋側ヒンジ部４６、５６を介して連結された構成とされているものの、第２蓋本体部４４、５４に一定の曲げ形状部分４５、５５が形成され、蓋側ヒンジ部４６、５６が本体側ヒンジ部２７からずれた位置に設けられている。そして、曲げ形状部分４５、５５に、一対の補助側壁部４８、５８を設け、この一対の補助側壁部４８、５８によって、一対の第１側壁部３０と一対の第２側壁部３２との間に生じる隙間を塞いでいる。
【００７７】
これにより、プロテクタ本体部２２に本体側ヒンジ部２７を設けた場合において、本体側ヒンジ部２７に対応する箇所で、一対の第１側壁部３０と一対の第２側壁部３２との間に生じる隙間を塞ぐことができる。
【００７８】
なお、外側蓋部４０及び内側蓋部５０についても、蓋側ヒンジ部４６、５６が設けられているため、容易に金型一体成形することができる。
【００７９】
特に、第１底板部２５及び第２底板部２６が本体側ヒンジ部２７で曲げられた状態で、一対の第１側壁部３０及び一対の第２側壁部３２が外側に突出する部分３０ｐ、３２ｐを含む場合、それらの部分３０ｐ、３２ｐの間に比較的大きな隙間が生じてしまう。このような隙間を、外側蓋部４０の曲げ形状部分４５の両側部の入隅側に突出するように形成された補助側壁部４８によって塞ぐことができる。
【００８０】
また、第１底板部２５及び第２底板部２６が本体側ヒンジ部２７で曲げられた状態で、一対の第１側壁部３０及び一対の第２側壁部３２が内側に突出する部分３０ｑ、３２ｑを含む場合、それらの部分３０ｑ、３２ｑの間にも隙間が生じてしまう。このような隙間をも、内側蓋部５０の曲げ形状部分５５の両側部の出隅側に突出するように形成された補助側壁部５８によって塞ぐことができる。
【００８１】
上記構成が併用されることによって、プロテクタ本体部２２の両側に裸導体１２、１４を収容しつつ、それぞれの両側で、一対の第１側壁部３０及び一対の第２側壁部３２間に生じる隙間を補助側壁部４８、５８によって塞ぐことができる。
【００８２】
このように各隙間を補助側壁部４８、５８によって塞ぐことで、プロテクタ２０内に裸導体１２、１４が収容される構成において、当該裸導体１２、１４をなるべく外部に露出しないようにすることができる。
【００８３】
なお、上記実施形態において、一対の第１側壁部、一対の第２側壁部が、底板部の一方主面のみに突出し、裸導体１２、１４の一方、外側蓋部４０及び内側蓋部５０の一方が省略されてもよい。
【００８４】
また、底板部２４の一方主面側に複数の配線材が収容されてもよい。
【００８５】
また、上記実施形態では、外側蓋部４０及び内側蓋部５０に曲げ形状部分４５、５５を形成したが、図１０に示す変形例のように、プロテクタ本体部２２に対応するプロテクタ本体部１２２側に曲げ形状部分１２８が形成されていてもよい。つまり、上記実施形態では、外側蓋部４０及び内側蓋部５０の蓋側ヒンジ部４６、５６を、プロテクタ２０の曲げ箇所からずらした例であるが、本変形例では、プロテクタ本体部２２側の本体側ヒンジ部１２７を、プロテクタの曲げ箇所からずらした例を説明する。
【００８６】
この変形例では、プロテクタ本体部１２２は、第１底板部１２５と第２底板部１２６とが本体側ヒンジ部１２７を介して連結された底板部１２４と、第１底板部１２５の両側部から一方主面側に突出する一対の第１側壁部１３０と、第２底板部１２６の両側部から一方主面側に突出する一対の第２側壁部１３２とを備える。
【００８７】
第２底板部１２６には、その厚み方向に直角に曲る一定形状の曲げ形状部分１２８形成されている。プロテクタ本体部１２２と蓋部１４０とが合体した状態で、曲げ形状部分１２８後述する蓋側ヒンジ部１４６に対応する位置に配設される。
【００８８】
また、蓋部１４０は、第１蓋本体部１４２と第２蓋本体部１４４とが蓋側ヒンジ部１４６を介して連結された蓋本体部１４１を備える。
【００８９】
プロテクタ本体部１２２と蓋部１４０とが合体した状態で、本体側ヒンジ部１２７と蓋側ヒンジ部１４６とが底板部１２４の延在方向にずらした位置に設けられている。ここでは、蓋側ヒンジ部４６が曲げ形状部分１２８配設される。
【００９０】
また、蓋本体部１４１の両側に、一対の第１側壁部１３０と、一対の第２側壁部１３２との間に生じる隙間を防ぐ一対の補助側壁部１４８が形成されている。ここでは、第１蓋本体部１４２の両側部に、方形板状の一対の補助側壁部１４８が形成されている。
【００９１】
この変形例によっても、プロテクタ本体部１２２に本体側ヒンジ部１２７を形成することによって生じる一対の第１側壁部１３０と一対の第２側壁部１３２との間の隙間を、一対の補助側壁部１４８によって塞ぐことができる。
【００９２】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００９３】
１０    プロテクタ付配線モジュール
１２、１４    裸導体
１２Ｐ、１４Ｐ    曲げ箇所
２０    プロテクタ
２２、１２２    プロテクタ本体部
２４、１２４    底板部
２５、１２５    第１底板部
２６、１２６    第２底板部
２７、１２７    本体側ヒンジ部
３０、１３０    第１側壁部
３２、１３２    第２側壁部
４０    外側蓋部
４１、５１、１４１    蓋本体部
４２、１４２    第１蓋本体部
４４、１４４    第２蓋本体部
４５、５５    曲げ形状部分
４６、５６    蓋側ヒンジ部
４８、５８、１４８    補助側壁部
５０    内側蓋部
１２８    曲げ形状部分
１４０    蓋部
【図１】
2016185023.tif 000003
【図２】
2016185023.tif 000004
【図３】
2016185023.tif 000005
【図４】
2016185023.tif 000006
【図５】
2016185023.tif 000007
【図６】
2016185023.tif 000008
【図７】
2016185023.tif 000009
【図８】
2016185023.tif 000010
【図９】
2016185023.tif 000011
【図１０】
2016185023.tif 000012